(57)【要約】【課題】  ドアまたは家具の可動部の制御減衰装置用アダプタにおいて、いかなる準備作業の必要もなく家具の骨組に容易に取付け可能にするとともに、見た目を損なわずに制動減衰装置の所望の減衰効果を確保する。【解決手段】  制動減衰装置は、アダプタ本体（アダプタ１６）と、制動力に抗してハウジング２６内に押込むことができるプランジャ２４とを備えている。アダプタ１６には、制動減衰装置のハウジング２６を収容する少なくとも１つの収容孔１８，２０が形成されている。アダプタ１６は、少なくとも１つの平坦な外面３０，３２を備えており、その外面を介して適切な接着手段によってフレームまたは家具の骨組１０に固定することができる。【選択図】  図１
2004286211.tif 000002
【特許請求の範囲】
【請求項１】
アダプタ本体と制動力に抗してハウジング内に押込むことができるプランジャとを備えたドアまたは家具の可動部の制動減衰装置のアダプタであって、
前記アダプタ本体には、制動減衰装置のハウジングを収容する少なくとも１つの収容孔が形成されており、
前記アダプタ本体は、適切な接着手段を用いてアダプタ本体をフレームまたは家具の骨組に取付け可能にする少なくとも１つの平坦な外面を備えていることを特徴とする制動減衰装置用アダプタ。
【請求項２】
前記アダプタ本体は、ほぼ直角をなすよう配置された２つの平坦な外面を備えていることを特徴とする請求項１記載のアダプタ。
【請求項３】
前記アダプタ本体は、ほぼ三角形の断面を有していることを特徴とする請求項１または２記載のアダプタ。
【請求項４】
前記アダプタ本体には、２つの収容孔が形成されていることを特徴とする請求項１ないし３のうちいずれか１項に記載のアダプタ。
【請求項５】
前記接着手段として、両面接着作用のある接着テープが用いられていることを特徴とする請求項１ないし４のうちいずれか１項に記載のアダプタ。
【請求項６】
前記アダプタ本体に設けられた前記収容孔の前端は座ぐり孔状に構成されており、
前記制動減衰装置は前記座ぐり孔状の収容孔前端に締まり嵌めされるフランジを備えていることを特徴とする請求項１ないし５のうちいずれか１項に記載のアダプタ。
【請求項７】
前記収容孔が設けられているアダプタ本体の側面の外周には、フランジが設けられていることを特徴とする請求項１ないし６のいずれか１項に記載のアダプタ。
【発明の詳細な説明】
【技術分野】
【０００１】
本発明は、ドアまたは家具の可動部の制動減衰装置用アダプタであって、制動力に抗してハウジング内に押込むことができるプランジャを備えた制動減衰装置のアダプタに関する。
【背景技術】
【０００２】
従来より、制動力または減衰力に抗してハウジングまたはシリンダーに押込むことができるプランジャを備えた制動減衰装置が知られている（例えば、特許文献１参照）。この種の装置のハウジングまたはシリンダーは、フレームまたは家具の骨組の表面に取付け手段を用いて取付けられている。しかしながら、これら取付け手段を使用する際には、これら取付け手段を特別に設けること、すなわち、制動減衰装置の設置の際に特別に配慮することが必要である。
【特許文献１】欧州特許出願公開第１００６２５１Ａ１号明細書
【発明の開示】
【発明が解決しようとする課題】
【０００３】
したがって、本発明の目的は、いかなる予備作業の必要もなく家具の骨組に容易に取付けることができるとともに、見た目を損なわずに制動減衰装置の所望の減衰効果を確保することができる制動減衰装置設置用のアダプタを提供することである。
【課題を解決するための手段】
【０００４】
上記の目的を満たすため、請求項１の発明では、アダプタ本体と、制動力に抗してハウジング内に押込むことができるプランジャとを備えた制動減衰装置のアダプタを対象とする。そして、そのアダプタ本体には、制動減衰装置のハウジングを収容する少なくとも１つの収容孔が形成されており、前記アダプタ本体は、適切な接着手段を用いてアダプタ本体をフレームまたは家具の骨組に取付け可能にする少なくとも１つの平坦な外面を備えている。
【０００５】
上記の構成によれば、前記アダプタは、フレームまたは家具のいかなる所望の位置にも取付けることができる。このため、予備的な作業も道具を使用することも必要がない。基本的には、前記アダプタは、例えば、底面、蓋など家具のどの場所にも取付けることができる。しかしながら、制動減衰装置または振動減衰装置は、前記アダプタによって、ヒンジも併せて設けられている家具の側面に取付けられることが好ましい。このため、制動減衰装置または振動減衰装置には、粘性が少なくとも１５,０００ｃＳｔ、好ましくは２０,０００ｃＳｔの液体が充填される。家具の他の位置にアダプタが取付けられる場合は、粘性がより少ない制動液が適切である。
【０００６】
本発明のさらに好ましい実施形態は、前記請求項１に続く従属請求項に開示されている。すなわち、前記アダプタ本体は、ほぼ直角をなすように配置された２つの平坦な外面を備えていてもよい。これにより、前記アダプタ本体は、家具の骨組の隅部で骨組にしっかり連結することができる。この実施形態の場合、非常に堅固かつ安定した連結が実現される。
【０００７】
このように直角をなすよう配置された２つの平坦な外面を備えた構成では、前記アダプタ本体は、ほぼ三角形の断面を有してもよく、その場合、外側の角部が丸められていることが好ましい。
【０００８】
さらに、前記アダプタ本体の中に２つの収容孔を形成し、所望の減衰効果に応じて、２つの制動減衰装置を使用可能になっていることが好ましい。
【０００９】
特に有利な実施形態によれば、前記接着手段として、両面接着作用のある接着テープを用いることができる。
【００１０】
アダプタ本体に少なくとも１つ設けられた収容孔の前端は、座ぐり孔状に構成してもよい。その場合、前記制動減衰装置は、座ぐり孔状の収容孔前端に締まり嵌めされるフランジを備えている。これにより、ハウジングをアダプタの収容孔に正確に嵌め込んだ状態で制動減衰装置を簡単に取付けることができる。
【００１１】
また、前記収容孔が設けられているアダプタ本体の側面には、外周にフランジを設けてもよい。アダプタが接着手段によって固定される際、このフランジが家具の骨組の外端部とほぼ面一になりさえすればいいので、このフランジにより、前記アダプタを非常に容易に取付けることができるようになる。したがって、前記アダプタ、ひいては制動減衰装置を、所望の幾何学的位置合わせて所望の位置に正確に設置することができる。
【発明を実施するための最良の形態】
【００１２】
以下、本発明のさらなる特徴、詳細および利点を、図示の実施形態に基づいて説明する。
（実施形態１）
図１は、ヒンジ１４を用いてドア１２が取付けられている家具の骨組１０を示す斜視図である。第１の実施形態では、家具の骨組１０の隅部に本発明に係るアダプタ１６が設置される。図示の家具の骨組１０の上面は家具中間面であってもよい。図１に示すアダプタ１６（すなわち、アダプタ本体）の態様は、図４ないし図６を用いて説明をするのが最も容易である。図４に示すように、２つの収容孔１８および２０が互いに平行に配置されている。アダプタ１６の断面はほぼ三角形に相当し、そのうちの２つの角が丸くなっている。この形状により、２つの平坦な取付け面（平坦な外面）３０および３２が直角をなすよう配置され、図１に示すように、アダプタ１６を家具の骨組１０の隅部にぴったりと納めて、例えば両面接着作用のある接着テープなどの接着手段（詳細には図示しない）を用いて固定することができる。前記収容孔１８，２０には、制動減衰装置が嵌合され、例えばプレスばめのような締まり嵌めによって収容される。
【００１３】
図２は、上記収容孔１８，２０に対応する制動減衰装置の例を示している。このような制動減衰装置は、十分に既知のものであり、特許文献１に詳細に記載されている。この制動減衰装置は、プランジャ２４とハウジング２６とを備え、ハウジング２６にはそれに応じた制動液が充填されている。図示の態様の場合、この液体の粘性は２０，０００ｃＳｔである。ハウジング２６の前部には、前記制動減衰装置の周面に沿ってフランジ３４が設けられており、収容孔１８または２０の前端に形成された座ぐり孔または環状窪みの形状をした凹部３６に嵌入することができる。図４のアダプタ１６において、一方の収容孔１８または２０しか使用しない場合は、もう一方の収容孔は、密閉キャップ２２を用いて密閉してもよい。その例を図５に示す。アダプタ１６の前端には、全周にリムまたはフランジ２８があり、このため、アダプタ１６を設置個所に正確に位置合わせすることができる。図１に示すように、全周フランジ２８が家具の骨組１０の前端に取付けられている。これにより、アダプタ１６を正確に位置合わせすることができ、ひいては制動減衰装置も正確に位置合わせすることができる。
【００１４】
図７，図８および図９は、アダプタ１６の他の態様を示している。ここでは、アダプタ１６に１つの収容孔１８しか設けられていない。これら態様の変形例すべてにおいて、直角をなすよう配置された２つの取付け面３０および３２が設けられている。図９に係る態様のアダプタ１６の断面はほぼ正方形に相当し、僅かに丸くなっている２つの角部と、さらに丸くなっている１つの角部とを有している。
（実施形態２）
図３は、アダプタ１６の他の設置構成を示している。ここでは、図１０および図１１に示す構成のアダプタ１６の変形例が示されている。この例では、取付け面３０が１つしか設けられておらず、アダプタ１６は、その取付け面３０を介して、家具の骨組１０に接着によって取付けることができる。この変形例には、収容孔１８は１つしか設けられていない。本実施形態では、全周のフランジ２８ではなく、前端の取付け面３０の領域のみフランジ２８が設けられることが好ましく、このフランジによってアダプタ１６の設置が容易になる。
【図面の簡単な説明】
【００１５】
【図１】本発明の第１の実施形態に係るアダプタの設置状態を示す図である。
【図２】本発明に係るアダプタを用いた家具の骨組またはフレームに取付け可能な制動減衰装置の図である。
【図３】本発明の他の実施形態を示す図１相当図である。
【図４】図１に示すアダプタの上面図である。
【図５】収容孔を密閉する密閉キャップの側面図である。
【図６】図４の線ＶＩ−ＶＩに沿う断面図である。
【図７】異なる構成のアダプタの前面図である。
【図８】異なる構成のアダプタの前面図である。
【図９】異なる構成のアダプタの前面図である。
【図１０】さらに別の構成のアダプタの前面図である。
【図１１】図１０の線ＸＩ−ＸＩに沿う断面図である。
【符号の説明】
【００１６】
１０    家具の骨組
１２    ドア
１６    アダプタ
１８    収容孔
２０    収容孔
２４    プランジャ
２６    ハウジング
２８    フランジ（縁）
３０    平坦な取付け面（平坦な外面）
３２    平坦な取付け面（平坦な外面）
【図１】
2004286211.tif 000003
【図２】
2004286211.tif 000004
【図３】
2004286211.tif 000005
【図４】
2004286211.tif 000006
【図５】
2004286211.tif 000007
【図６】
2004286211.tif 000008
【図７】
2004286211.tif 000009
【図８】
2004286211.tif 000010
【図９】
2004286211.tif 000011
【図１０】
2004286211.tif 000012
【図１１】
2004286211.tif 000013